(57)【特許請求の範囲】
【請求項１】
暖房機能を有し、給気ダクトを介して部屋に送られる空気の温度を調整するための温度調整部と、
前記給気ダクトに流入する前記空気の湿度を計測する湿度検知部と、
前記温度調整部による暖房をオフにするための信号を検知したときに、前記湿度検知部が計測した湿度が前記給気ダクトの内部面に結露を生じさせる湿度である所定値よりも大きい場合、前記温度調整部による暖房をオンのまま継続し、前記湿度検知部が計測した湿度が前記所定値よりも小さい場合、前記温度調整部による暖房をオフにする制御部と、を備える
空気制御システム。
【請求項２】
前記制御部は、前記温度調整部による暖房をオフにするための信号を検知したときに前記温度調整部による暖房をオンのまま継続した後、前記湿度検知部が計測した湿度が前記所定値を下回った場合に、前記温度調整部による暖房をオフにする
請求項１に記載の空気制御システム。
【請求項３】
さらに、前記給気ダクトを介して部屋に送られる前記空気の湿度を調整するための湿度調整部を備え、
前記制御部は、前記温度調整部による暖房をオフにするための信号を検知したときに、前記湿度検知部が計測した湿度が前記所定値よりも大きい場合に、前記湿度調整部が加湿モードのときには前記湿度調整部をオフにする
請求項１又は２に記載の空気制御システム。
【請求項４】
前記制御部は、前記温度調整部による暖房をオフにするための信号を検知したときに、前記湿度検知部が計測した湿度が前記所定値よりも小さい場合に、前記湿度調整部が加湿モードのときには前記湿度調整部をオフにする
請求項３に記載の空気制御システム。
【請求項５】
前記制御部は、前記温度調整部による暖房をオフにするための信号を検知したときに、前記湿度検知部が計測した湿度が前記所定値よりも大きい場合に、前記温度調整部による暖房をオンのまま継続した後、所定時間、前記湿度検知部が計測する湿度が前記所定値よりも大きい場合、前記湿度調整部を除湿モードにする
請求項３又は４に記載の空気制御システム。
【請求項６】
暖房機能を有し、給気ダクトを介して部屋に送られる空気の温度を調整するための温度調整部と、前記給気ダクトに流入する前記空気の湿度を計測する湿度検知部と、を備える空気制御システムの動作を制御する空気制御方法であって、
前記温度調整部による暖房をオフにするための信号を検知したときに、前記湿度検知部が計測した湿度が前記給気ダクトの内部面に結露を生じさせる湿度である所定値よりも大きい場合、前記温度調整部による暖房をオンのまま継続し、前記湿度検知部が計測した湿度が前記所定値よりも小さい場合、前記温度調整部による暖房をオフにする
空気制御方法。
【請求項７】
暖房機能を有し、給気ダクトを介して部屋に送られる空気の温度を調整するための温度調整部を制御する空気制御装置であって、
前記温度調整部による暖房をオフにするための信号を検知したときに、前記給気ダクトに流入する前記空気の湿度を計測する湿度検知部が計測した湿度が前記給気ダクトの内部面に結露を生じさせる湿度である所定値よりも大きい場合、前記温度調整部による暖房をオンのまま継続し、前記湿度検知部が計測した湿度が前記所定値よりも小さい場合、前記温度調整部による暖房をオフにする制御部を備える
空気制御装置。
【発明の詳細な説明】
【技術分野】
【０００１】
本発明は、給気（ＳＡ：Ｓｕｐｐｌｙ  Ａｉｒ）ダクトを介して部屋に送られる空気を制御する空気制御システム、空気制御方法及び空気制御装置に関する。
【背景技術】
【０００２】
従来、室内において温湿度検知部の検出結果を基に結露が発生する状況にあるか否かを検知し、結露が発生する状況にある場合には、加湿器の運転を停止し、結露の発生を抑制する空気制御システムが知られている。特許文献１には、このような空気制御システムに関する技術が記載されている。
【先行技術文献】
【特許文献】
【０００３】
【特許文献１】特開２０１４−０７０８８２号公報
【発明の概要】
【発明が解決しようとする課題】
【０００４】
ところで、温度調整部（例えばエアコン）及び湿度調整部（例えば加湿器若しくは除湿器、又は加湿機能と除湿機能とを切り替えて動作できる装置）で温湿度を調整した空気を、給気ダクトを介して部屋に送る全館空調システムというものがある。冬季等の外気温が低い時期に、暖房として稼働している温度調整部をオフにすると、給気ダクトの内部面の温度が下がり結露が発生してしまう。特許文献１に記載の技術では、室内において結露が発生することを抑制することはできるが、給気ダクトの内部面において結露が発生することを抑制することは難しい。
【０００５】
そこで、本発明は、全館空調システムにおいて給気ダクトの内部面において結露が発生することを抑制できる空気制御システム、空気制御方法及び空気制御装置を提供することを目的とする。
【課題を解決するための手段】
【０００６】
本発明の一態様に係る空気制御システムは、給気ダクトを介して部屋に送られる空気の温度を調整するための温度調整部と、前記給気ダクトに流入する前記空気の湿度を計測する湿度検知部と、前記温度調整部をオフにするための信号を検知したときに、前記湿度検知部が計測した湿度が所定値よりも大きい場合、前記温度調整部をオンのまま継続し、前記湿度検知部が計測した湿度が前記所定値よりも小さい場合、前記温度調整部をオフにする制御部と、を備える。
【０００７】
本発明の一態様に係る空気制御方法は、給気ダクトを介して部屋に送られる空気の温度を調整するための温度調整部と、前記給気ダクトに流入する前記空気の湿度を計測する湿度検知部と、を備える空気制御システムの動作を制御する空気制御方法であって、前記温度調整部をオフにするための信号を検知したときに、前記湿度検知部が計測した湿度が所定値よりも大きい場合、前記温度調整部をオンのまま継続し、前記湿度検知部が計測した湿度が前記所定値よりも小さい場合、前記温度調整部をオフにする。
【０００８】
本発明の一態様に係る空気制御装置は、給気ダクトを介して部屋に送られる空気の温度を調整するための温度調整部を制御する空気制御装置であって、前記温度調整部をオフにするための信号を検知したときに、前記給気ダクトに流入する前記空気の湿度を計測する湿度検知部が計測した湿度が所定値よりも大きい場合、前記温度調整部をオンのまま継続し、前記湿度検知部が計測した湿度が前記所定値よりも小さい場合、前記温度調整部をオフにする制御部を備える。
【発明の効果】
【０００９】
本発明の一態様に係る空気制御システム、空気制御方法及び空気制御装置によれば、全館空調システムにおいて給気ダクトの内部面において結露が発生することを抑制できる。
【図面の簡単な説明】
【００１０】
【図１】図１は、実施の形態に係る空気制御システムの一例を示す構成図である。
【図２】図２は、実施の形態に係る空気制御システムの設置例を示す図である。
【図３】図３は、実施の形態に係る制御部の動作の一例を示すフローチャートである。
【図４】図４の（ａ）は、実施の形態に係る制御部の、湿度が所定値よりも大きい場合の動作の一例を説明するための図である。図４の（ｂ）は、実施の形態に係る制御部の、湿度が所定値よりも小さい場合の動作の一例を説明するための図である。
【図５】図５は、実施の形態に係る制御部の、湿度が所定値よりも大きい場合の動作の他の一例を説明するための図である。
【発明を実施するための形態】
【００１１】
以下では、本発明の実施の形態に係る空気制御システム、空気制御方法及び空気制御装置について、図面を用いて詳細に説明する。なお、以下に説明する実施の形態は、いずれも本発明の好ましい一具体例を示すものである。従って、以下の実施の形態で示される数値、構成要素、構成要素の配置及び接続形態、ステップ、ステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成要素については同じ符号を付している。
【００１３】
（実施の形態）
以下、実施の形態について、図１から図５を用いて説明する。
【００１４】
［空気制御システムの構成］
図１は、実施の形態に係る空気制御システム１の一例を示す構成図である。図１に示される各構成要素をつなぐ点線の矢印は、信号の経路を示す。
【００１５】
図２は、実施の形態に係る空気制御システム１の設置例を示す図である。図２に示される点線の矢印は、信号の経路を示す。また、ハッチングを付した矢印は空気の流れを示す。空気制御システム１は、例えば、図２に示されるように、戸建てに設置される。なお、空気制御システム１は、集合住宅等に設置されてもよい。
【００１６】
空気制御システム１は、温度調整部２０、湿度調整部３０、湿度検知部４０及び制御部５０を備える。
【００１７】
温度調整部２０は、全館空調システムにおいて給気ダクト１２を介して部屋１００（本実施の形態では４つの部屋１００ａ〜１００ｄ）に送られる空気の温度を調整するための装置であり、例えば暖房機能を有するエアコンである。温度調整部２０は、例えば、空間１０２に設置され、空間１０２の空気の温度を調整する。
【００１８】
湿度調整部３０は、温度調整部２０と同じように、全館空調システムにおいて給気ダクト１２を介して部屋１００に送られる空気の湿度を調整するための装置である。湿度調整部３０は、例えば加湿器若しくは除湿器、又は加湿機能（加湿モード）と除湿機能（除湿モード）とを切り替えて動作できる装置である。本実施の形態では、湿度調整部３０は、加湿モードと除湿モードとを切り替えて動作できる装置である。湿度調整部３０は、例えば、空間１０２に設置され、空間１０２の空気の湿度を調整する。
【００１９】
温度調整部２０及び湿度調整部３０によって温度及び湿度が調整された空間１０２の空気は、吸気口１４へ吸い込まれる。吸気口１４へ吸い込まれた空気は、送風部１０（例えばファン）を有する給気ダクト１２を介して給気口１６から部屋１００ａ〜１００ｄへ送り出される。給気ダクト１２は、部屋１００の外観を損なうことがあるため、その大部分が天井裏１１０等に設置される。図２には、給気ダクト１２の一部が部屋１００ａを経由して設置されているが、例えば戸建ての外に設置されてもよい。部屋１００へ送り出された空気は、部屋１００の隙間１０４から部屋１００間をつなぐ空間１０６へ移動し、最終的に空間１０２へ戻ってくる。隙間１０４は、例えば、部屋１００のドアに設けられたアンダーカット等の隙間である。空間１０６は、廊下又は吹き抜け等である。このように、全館空調システムでは、各部屋１００が快適な状態となるように、各部屋１００を温度調整部２０及び湿度調整部３０で温度及び湿度が調整された空気が循環する。
【００２０】
湿度検知部４０は、給気ダクト１２に流入する空気の湿度を計測する例えばセンサである。湿度検知部４０は、吸気口１４の近傍に設置される。湿度検知部４０が計測した湿度情報は後述する制御部５０に通知される。
【００２１】
制御部５０は、温度調整部２０の稼働状態をオフにするための信号を検知したときに、湿度検知部４０が計測した湿度が所定値よりも大きい場合、温度調整部２０をオンのまま継続し、湿度検知部４０が計測した湿度が所定値よりも小さい場合、温度調整部２０をオフにする。具体的には、制御部５０は、例えば、湿度検知部４０が計測した湿度を示す湿度情報を取得する取得部（図示せず）と、取得部が取得した湿度情報が示す湿度が所定値よりも大きい場合、温度調整部２０をオンのまま継続し、取得部が取得した湿度情報が示す湿度が所定値よりも小さい場合、温度調整部２０をオフにする稼働制御部（図示せず）とを備える。制御部５０は、例えば、温度調整部２０及び湿度調整部３０の稼働状態を制御するためのコントローラ、リモコン、ＰＣ等の装置（空気制御装置）に備えられ、マイコン又は専用回路等によって実現される。なお、制御部５０は、温度調整部２０又は湿度調整部３０に備えられてもよい。温度調整部２０をオフにするための信号は、例えば、ユーザがリモコン等で温度調整部２０をオフにする操作をした時、又は、スケジュールにより温度調整部２０をオフにする時刻になったときに制御部５０に通知される信号である。また、温度調整部２０をオフにするための信号は、例えば、部屋１００に設置された人検知部（図示せず）が人を検知していない場合に制御部５０に通知される信号であってもよい。制御部５０の動作については、後述する図３及び図４で詳細に説明する。
【００２２】
天井裏１１０の温度は、冬季等には部屋１００よりも低い温度（外気温に近い温度）になり、天井裏１１０に設置された給気ダクト１２は、低い温度に曝される。したがって、温度調整部２０がオフにされると、給気ダクト１２の内部面の温度は下がる。このとき、給気ダクト１２に流入する空気の湿度（相対湿度）が所定値よりも大きい場合、給気ダクト１２の内部面に結露が発生する。所定値は、温度調整部２０がオフにされて天井裏１１０等で冷やされたときの給気ダクト１２の内部面の温度において、当該内部面に結露が発生してしまう湿度である。制御部５０は、給気ダクト１２の内部面に結露が発生することを抑制するための動作をする。ここで、制御部５０の動作について、図３を用いて説明する。
【００２３】
［制御部の動作］
図３は、実施の形態に係る制御部５０の動作の一例を示すフローチャートである。
【００２４】
まず、制御部５０は、温度調整部２０をオフにするための信号を検知したか否かを判定する（ステップＳ１１）。例えば、ユーザが温度調整部２０をリモコン等でオフにしようとしたときに、制御部５０は、温度調整部２０をオフにするための信号を検知する。
【００２５】
制御部５０が温度調整部２０をオフにするための信号を検知した場合（ステップＳ１１でＹｅｓ）、制御部５０は、湿度検知部４０が計測した湿度が所定値よりも大きいか否かを判定する（ステップＳ１２）。例えば、制御部５０は、温度調整部２０をオフにするための信号を検知したときに湿度検知部４０から現在の湿度を取得し、取得した現在の湿度と空気制御システム１が備える記憶部（図示せず）等に記憶された所定値とを比較することで、湿度検知部４０が計測した湿度が所定値よりも大きいか否かを判定する。なお、制御部５０は、給気ダクト１２の周囲の温度（例えば天井裏１１０の温度）に応じて所定値を変化（更新）させてもよい。例えば、制御部５０は、給気ダクト１２の周囲の温度が低いほど所定値を小さい値にしてもよい。
【００２６】
制御部５０が、湿度検知部４０が計測した湿度が所定値よりも大きいと判定した場合（ステップＳ１２でＹｅｓ）、制御部５０は、温度調整部２０をオンのまま継続する（ステップＳ１３）。これにより、給気ダクト１２の内部面の温度が下がることが抑制される。なお、「湿度が所定値よりも大きい」とは、湿度が所定値以上の場合も含んでもよいとする。
【００２７】
一方、制御部５０が、湿度検知部４０が計測した湿度が所定値よりも小さいと判定した場合（ステップＳ１２でＮｏ）、制御部５０は、温度調整部２０をオフにする（ステップＳ１４）。なお、「湿度が所定値よりも小さい」とは、湿度が所定値以下の場合も含んでもよいとする。例えば、「湿度が所定値よりも大きい」に湿度が所定値以上の場合を含むときには、「湿度が所定値よりも小さい」には湿度が所定値以下の場合を含まない。
【００２８】
ここで、制御部５０のより詳細な動作について、図４を用いて説明する。
【００２９】
図４の（ａ）は、実施の形態に係る制御部５０の、湿度が所定値よりも大きい場合の動作の一例を説明するための図である。図４の（ａ）に示される図は、上から給気ダクト１２に流入する空気の湿度、湿度調整部３０の稼働状態、温度調整部２０の稼働状態を示す図である。
【００３０】
図４の（ｂ）は、実施の形態に係る制御部５０の、湿度が所定値よりも小さい場合の動作の一例を説明するための図である。図４の（ｂ）に示される図は、上から給気ダクト１２に流入する空気の湿度、湿度調整部３０の稼働状態、温度調整部２０の稼働状態を示す図である。
【００３１】
例えば、制御部５０が温度調整部２０をオフにするための信号を検知したとき（図４の（ａ）に示される温度調整部オフ信号検知時）、湿度調整部３０が空気を加湿させる加湿モードとなっているとし、湿度検知部４０が計測した湿度が所定値よりも大きくなっているとする。制御部５０は、この時湿度検知部４０が計測した湿度が所定値よりも大きい場合、温度調整部２０をオンのまま継続する。また、制御部５０は、湿度調整部３０が加湿モードのときには湿度調整部３０をオフにする（加湿モードをオフにする）。これにより、湿度検知部４０が計測する湿度は下がっていく。そして、制御部５０は、温度調整部２０をオフにするための信号を検知したときに温度調整部２０をオンのまま継続した後、湿度検知部４０が計測した湿度が所定値を下回った場合に、温度調整部２０をオフにする。具体的には、制御部５０は、湿度検知部４０から現在の湿度を定期的に取得し、取得する毎に所定値と現在の湿度とを比較することで、湿度検知部４０が計測した湿度が所定値よりも大きいか否かを判定する。そして、制御部５０は、湿度検知部４０が計測した湿度が所定値を下回った場合に、温度調整部２０をオフにする。
【００３２】
一方、例えば、制御部５０が温度調整部２０をオフにするための信号を検知したとき（図４の（ｂ）に示される温度調整部オフ信号検知時）、湿度調整部３０が空気を加湿させる加湿モードとなっているが、湿度検知部４０が計測した湿度が所定値よりも小さくなっているとする。例えば、加湿モードの設定湿度が低い、又は、外気温が高く所定値が高い等により、湿度調整部３０が加湿モードであっても湿度検知部４０が計測した湿度が所定値よりも小さくなっているとする。制御部５０は、この時湿度検知部４０が計測した湿度が所定値よりも小さい場合、温度調整部２０をオフにする。また、制御部５０は、湿度調整部３０の稼働状態が加湿モードのときには湿度調整部３０の稼働状態をオフにする（加湿モードをオフにする）。例えば、湿度調整部３０がオンのまま継続された場合に湿度が所定値よりも上がってしまう可能性があるため、湿度調整部３０をオフにしている。
【００３３】
このように、制御部５０は、給気ダクト１２の内部面に結露が発生することを抑制するための動作をする。具体的には、制御部５０は、給気ダクト１２に流入する空気の湿度が給気ダクト１２の内部面に結露が発生してしまう湿度である所定値よりも小さくなるまで温度調整部２０をオンのまま継続する。そして、制御部５０は、その後、給気ダクト１２に流入する空気の湿度が所定値を下回った場合（給気ダクト１２の内部面に結露が発生してしまわない湿度になった場合）、温度調整部２０をオフにする。
【００３４】
ところで、制御部５０が温度調整部２０をオフにするための信号を検知したときに、湿度検知部４０が計測した湿度が所定値よりも大きい場合に、温度調整部２０をオンのまま継続した後、所定時間（例えば３０分等）経っても湿度が所定値まで下がらないという状況が考えられる。例えば、ユーザが調理中であったり、浴室を使用した後の湿った空気が循環してきたりする状況が考えられる。このような状況における制御部５０の動作について、図５を用いて説明する。
【００３５】
図５は、実施の形態に係る制御部５０の、湿度が所定値よりも大きい場合の動作の他の一例を説明するための図である。図５に示される図は、上から給気ダクト１２に流入する空気の湿度、湿度調整部３０の稼働状態、温度調整部２０の稼働状態を示す図である。
【００３６】
例えば、制御部５０が温度調整部２０をオフにするための信号を検知したとき（図４の（ａ）に示される温度調整部オフ信号検知時）、湿度調整部３０が空気を加湿させる加湿モードとなっているとし、湿度検知部４０が計測した湿度が所定値よりも大きくなっているとする。制御部５０は、この時湿度検知部４０が計測した湿度が所定値よりも大きい場合、温度調整部２０をオンのまま継続する。また、制御部５０は、湿度調整部３０が加湿モードのときには湿度調整部３０をオフにする（加湿モードをオフにする）。これにより、湿度検知部４０が計測する湿度は下がっていく。
【００３７】
しかし、例えば、調理中又は浴室使用後等により湿度があまり下がらない状況が発生することがある。そこで、制御部５０は、温度調整部２０をオフにするための信号を検知してから所定時間（図５に示される所定時間経過時までの時間）、湿度検知部４０が計測する湿度が所定値よりも大きい場合、所定時間経過時に湿度調整部３０を除湿モードにする。具体的には、制御部５０は、湿度検知部４０から現在の湿度を定期的に取得し、取得する毎に所定値と現在の湿度とを比較することで、湿度検知部４０が計測した湿度が所定値よりも大きいか否かを所定時間の間判定する。制御部５０は、所定時間の間、湿度検知部４０が計測する湿度が所定値よりも大きい場合、所定時間経過時に湿度調整部３０を除湿モードにする。そして、制御部５０は、湿度検知部４０が計測した湿度が所定値を下回った場合に、温度調整部２０をオフにし、湿度調整部３０の除湿モードをオフにする。
【００３８】
このように、制御部５０は、温度調整部２０をオフにするための信号を検知したときに、湿度検知部４０が計測した湿度が所定値よりも大きい場合に、温度調整部２０をオンのまま継続した後、所定時間、湿度検知部４０が計測する湿度が所定値よりも大きい場合、湿度調整部３０を除湿モードにする。
【００３９】
［効果等］
温度調整部及び湿度調整部で温湿度を調整した空気を、給気ダクトを介して部屋に送る全館空調システムにおいて、給気ダクトの内部面において結露が発生することがある。
【００４０】
そこで、本実施の形態に係る空気制御システム１は、給気ダクト１２を介して部屋１００に送られる空気の温度を調整するための温度調整部２０と、給気ダクト１２に流入する空気の湿度を計測する湿度検知部４０と、を備える。また、空気制御システム１は、温度調整部２０をオフにするための信号を検知したときに、湿度検知部４０が計測した湿度が所定値よりも大きい場合、温度調整部２０をオンのまま継続し、湿度検知部４０が計測した湿度が所定値よりも小さい場合、温度調整部２０をオフにする制御部５０を備える。
【００４１】
また、本実施の形態に係る空気制御方法は、給気ダクト１２を介して部屋１００に送られる空気の温度を調整するための温度調整部２０と、給気ダクト１２に流入する空気の湿度を計測する湿度検知部４０と、を備える空気制御システム１の動作を制御する空気制御方法である。空気制御方法では、温度調整部２０をオフにするための信号を検知したときに、湿度検知部４０が計測した湿度が所定値よりも大きい場合、温度調整部２０をオンのまま継続し、湿度検知部４０が計測した湿度が所定値よりも小さい場合、温度調整部２０をオフにする。
【００４２】
また、本実施の形態に係る空気制御装置は、給気ダクト１２を介して部屋に送られる空気の温度を調整するための温度調整部２０を制御する空気制御装置である。空気制御装置は、温度調整部２０をオフにするための信号を検知したときに、給気ダクト１２に流入する空気の湿度を計測する湿度検知部４０が計測した湿度が所定値よりも大きい場合、温度調整部２０をオンのまま継続し、湿度検知部４０が計測した湿度が所定値よりも小さい場合、温度調整部２０をオフにする制御部５０を備える。
【００４３】
これにより、給気ダクト１２に流入する空気の湿度が給気ダクト１２の内部面に結露が発生する湿度である所定値よりも大きい場合、温度調整部２０がオンのまま継続されて給気ダクト１２の内部面の温度が下がらないため、給気ダクト１２の内部面において結露が発生することを抑制できる。また、給気ダクト１２に流入する空気の湿度が所定値よりも小さい場合、当該湿度は給気ダクト１２の内部面の温度が下がっても給気ダクト１２の内部面において結露が発生する湿度でないため、給気ダクト１２の内部面において結露が発生しない。この場合には、温度調整部２０をすぐにオフにすることができ、温度調整部２０に掛かるエネルギーを抑制できる。
【００４４】
また、制御部５０は、温度調整部２０をオフにするための信号を検知したときに温度調整部２０をオンのまま継続した後、湿度検知部４０が計測した湿度が所定値を下回った場合に、温度調整部２０をオフにする。
【００４５】
これにより、湿度検知部４０が計測した湿度が所定値を下回った場合には、給気ダクト１２の内部面の温度が下がっても給気ダクト１２の内部面において結露が発生しないため、温度調整部２０をオフにすることができる。したがって、温度調整部２０の稼働状態が長時間オンのまま継続することが抑制され、温度調整部２０に掛かるエネルギーを抑制できる。
【００４６】
また、空気制御システム１は、さらに、給気ダクト１２を介して部屋１００に送られる空気の湿度を調整するための湿度調整部３０を備える。制御部５０は、温度調整部２０をオフにするための信号を検知したときに、湿度検知部４０が計測した湿度が所定値よりも大きい場合に、湿度調整部３０が加湿モードのときには湿度調整部３０をオフにする。
【００４７】
これにより、制御部５０が温度調整部２０をオフにするための信号を検知したときに温度調整部２０をオンのまま継続した後、湿度調整部３０が加湿モードで稼働していることで、給気ダクト１２に流入する空気の湿度が所定値に下がるまでの時間が長くなる、又は、所定値まで下がらなくなることを抑制できる。
【００４８】
また、制御部５０は、温度調整部２０をオフにするための信号を検知したときに、湿度検知部４０が計測した湿度が所定値よりも小さい場合に、湿度調整部３０が加湿モードのときには湿度調整部３０をオフにする。
【００４９】
これにより、温度調整部２０をオフにするための信号を検知したときに、給気ダクト１２に流入する空気の湿度が所定値よりも小さい場合でも、湿度調整部３０が加湿モードであることで、その後湿度が所定値よりも大きくなってしまうことを抑制できる。
【００５０】
また、制御部５０は、温度調整部２０をオフにするための信号を検知したときに、湿度検知部４０が計測した湿度が所定値よりも大きい場合に、温度調整部２０をオンのまま継続した後、所定時間、湿度検知部４０が計測する湿度が所定値よりも大きい場合、湿度調整部３０を除湿モードにする。
【００５１】
これにより、湿度調整部３０を除湿モードにすることで、給気ダクト１２に流入する空気の湿度が強制的に下げられるため、当該湿度が所定値に下がるまでの時間が長くなる、又は、所定値まで下がらなくなることを抑制できる。
【００５２】
（その他の実施の形態）
以上、実施の形態に係る空気制御システム１、空気制御方法及び空気制御装置について説明したが、本発明は、上記実施の形態に限定されるものではない。
【００５３】
例えば、上記実施の形態では、空間１０２に温度調整部２０及び湿度調整部３０が設置され、空間１０２の空気の温度及び湿度が調整されたが、これに限らない。例えば、温度調整部２０及び湿度調整部３０は、一体に構成されてもよい。この場合、一体に構成された温度調整部２０及び湿度調整部３０の装置内において、当該装置に吸い込まれた空気の温度及び湿度が調整され、温度及び湿度が調整された空気が、給気ダクト１２に送りこまれてもよい。つまり、図２に示される温度調整部２０、湿度調整部３０及び空間１０２が一体に構成された装置（例えば、図２に示される空間１０２に設けられた隙間１０４が空気の入り口になり、吸気口１４が空気の出口となるような装置）によって、給気ダクト１２に流入する空気の温度及び湿度が調整されてもよい。
【００５４】
また、例えば、上記実施の形態では、空気制御システム１は、湿度調整部３０を備えたが、湿度調整部３０を備えていなくてもよい。給気ダクト１２に流入する空気の湿度は、湿度調整部３０が加湿モードである場合に限らず、例えば、ユーザが調理中であったり、ユーザが浴室を使用した後であったりする場合に、所定値よりも大きくなることがある。この場合、所定値よりも大きくなった湿度は、例えばユーザによる給気、又は、戸建て等に設けられた戸建て外との隙間から湿気が抜けること等により下がっていき、当該湿度が所定値を下回った場合に温度調整部２０がオフにされる。このように、本発明は、湿度調整部３０を備えていない空気制御システム１にも適用することができる。
【００５５】
なお、本発明の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００５６】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００５７】
１  空気制御システム
１２  給気ダクト
２０  温度調整部
３０  湿度調整部
４０  湿度検知部
５０  制御部
１００、１００ａ〜１００ｄ  部屋
【図１】
0006712763.tif 000002
【図２】
0006712763.tif 000003
【図３】
0006712763.tif 000004
【図４】
0006712763.tif 000005
【図５】
0006712763.tif 000006